(57)【要約】【課題】テンプルが取り外れることが防止されたテンプルの取替え可能な眼鏡フレームを提供することを課題とする。【解決手段】前枠２と、前記前枠２に回動自在に連結する係止部材３と、前記係止部材３に係脱自在に係合するテンプル４とを備え、前記係止部材３は、前方に前記前枠２が存在する開位置と、前記開位置の状態から回動して、前方に前記前枠２が存在しない閉位置とを取ることができ、前記テンプル４は、前記係止部材３の前方から係脱自在に前記係止部材３に係合する係合部４１と、前記係合部４１が前記係止部材３に係合したときに、前記係止部材３の前方に位置して、前記係合部４１が前記係止部材３の後方に抜けることを防止する抜止部４２とを有することを特徴とする眼鏡フレーム１を提供する。【選択図】図１
2008122602.tif 000002
【特許請求の範囲】
【請求項１】
前枠と、前記前枠に回動自在に連結する係止部材と、前記係止部材に係脱自在に係合するテンプルとを備え、
前記係止部材は、前方に前記前枠が存在する開位置と、前記開位置の状態から前記前枠に対して回動して、前方に前記前枠が存在しない閉位置とを取ることができ、
前記テンプルは、前記閉位置にある前記係止部材の前方から係脱自在に前記係止部材に係合する係合部と、前記係合部が前記係止部材に係合したときに、前記係止部材の前方に位置して、前記係合部が前記係止部材の後方に抜けることを防止する抜止部とを有することを特徴とする眼鏡フレーム。
【発明の詳細な説明】
【技術分野】
【０００１】
本発明は、テンプルの取替え可能な眼鏡フレームに関する。
【背景技術】
【０００２】
近年、眼鏡フレームに対するファッション性、デザイン性等の装飾機能性が重視され、ＴＰＯ（時（Time）、所（Place）、場所（Occasion））に応じて外観の変更可能な様々な眼鏡フレームが提案されている。外観の変更可能な眼鏡フレームの１つとして、テンプルの取替え可能な眼鏡フレームを挙げることができる。
【０００３】
テンプルの取替え可能な眼鏡フレームとしては、例えば、特許文献１に開示されている連結機構を採用した眼鏡フレームを挙げることができる。この連結機構は、差し込みプラグが先端部に形成されたテンプルと、テンプルの差込プラグが挿入されるソケットが後端部に形成された丁番とで構成されている。かかる連結機構においては、丁番のソケットにテンプルの差込プラグを挿入すると、テンプルと丁番とが連結される。一方、丁番のソケットに挿入されたテンプルを丁番の後方に引き抜くと、テンプルと丁番との連結を解除することができる。このように、特許文献１に開示されている連結機構を採用した眼鏡フレームは、テンプルと丁番との連結、及び、前記連結の解除を自在にできるため、ＴＰＯに応じて丁番と連結するテンプルを選択することで、ＴＰＯに応じた外観とすることができる。
【特許文献１】特開２００１−１１７０５２号公報
【発明の開示】
【発明が解決しようとする課題】
【０００４】
しかしながら、上記連結機構は、テンプルを後方に引き抜くことでテンプルと丁番との連結を解除する構成であるため、衝撃やテンプルの開閉動作等によって、テンプルに後向きの力が作用すると、テンプルの差込プラグが丁番のソケットから抜け出て、テンプルが丁番から容易に外れてしまう恐れがある。即ち、テンプルを取替える時でないにも関わらず、眼鏡フレームの装着者の意図に反して、テンプルが外れてしまう恐れがある。
【０００５】
本発明は、テンプルが容易に外れることが防止されたテンプルの取替え可能な眼鏡フレームを提供することを課題とする。
【課題を解決するための手段】
【０００６】
本発明は、特許請求の範囲の請求項１に記載の如く、前枠と、前記前枠に回動自在に連結する係止部材と、前記係止部材に係脱自在に係合するテンプルとを備え、前記係止部材は、前方に前記前枠が存在する開位置と、前記開位置の状態から前記前枠に対して回動して、前方に前記前枠が存在しない閉位置とを取ることができ、前記テンプルは、前記閉位置にある前記係止部材の前方から係脱自在に前記係止部材に係合する係合部と、前記係合部が前記係止部材に係合したときに、前記係止部材の前方に位置して、前記係合部が前記係止部材の後方に抜けることを防止する抜止部とを有することを特徴とする眼鏡フレームを提供する。
【０００７】
本発明に係る眼鏡フレームは、前枠に回動自在に連結する係止部材と、係止部材に係脱自在に係合するテンプルとを備えており、テンプルは、係止部材に対して取替え可能な構成とされている。かかるテンプルは、係止部材の前方から係脱自在に係止部材に係合する係合部を有している。一方、係止部材は、前方に前枠が存在する開位置と、開位置の状態から回動して、前方に前枠が存在しない閉位置とを取ることが可能な構成とされている。テンプルと係止部材との係合は、前方に前枠が存在しない閉位置を係止部材が取っているときに、テンプルの係合部を係止部材の前方から係止部材に係合させることで行うことができる。また、テンプルと係止部材との係合の解除は、係止部材が閉位置を取っているときに、テンプルの係合部を係止部材の前方に移動させることで行うことができる。
【０００８】
本発明に係る眼鏡フレームは、前述のようにテンプルを係止部材に係合させた後、係止部材を開位置まで回動させて、テンプルを耳に掛けて装着することができる。係止部材が開位置を取っているときは、係止部材の前方に前枠が存在するため、係止部材が開位置を取っているときは、前枠によって、テンプルの係合部が係止部材の前方に抜けることが阻止される。よって、本発明に係る眼鏡フレームにおいては、装着時に、テンプルの係合部が係止部材の前方に抜けて、テンプルが係止部材から外れることが防止される。また、テンプルは、係合部の他、係合部が係止部材に係合したときに、係止部材の前方に位置して、係合部が係止部材の後方に抜けることを防止する抜止部を有している。そのため、係合部が係止部材に係合しているときに、テンプルが係止部材の後方に移動しようとしても、抜止部によって、係合部が係止部材の後方に抜けることが阻止される。よって、本発明に係る眼鏡フレームにおいては、係合部が係止部材の後方に抜けて、テンプルが係止部材から外れることも防止される。
【０００９】
本発明の好ましい構成として、特許請求の範囲の請求項２に記載の如く、前記係合部は、前記係止部材が挿入する挿入部を有し、且つ、前記係止部材の前端部から前記係止部材を前記挿入部に挿入させることで前記係止部材に係合し、前記係止部材は、前記挿入部に挿入されているときは、前後方向に垂直な方向に弾性的に収縮した状態である構成を挙げることができる。
【００１０】
かかる好ましい構成においては、係合部は、係止部材が挿入する挿入部を有し、且つ、係止部材を挿入部に挿入することで係止部材に係合する構成とされている。一方、係止部材は、かかる挿入部に挿入されているときは、前後方向に垂直な方向に弾性的に収縮した状態とされる。換言すれば、係合部が係止部材に係合した状態では、係止部材が、弾性力によって挿入部を内側から押圧することになるため、係止部材に対するテンプルの前後方向の移動が阻止され易くなる。よって、かかる好ましい構成においては、係止部材に係合した状態において、テンプルが係止部材から外れることをより一層確実に防止することができる。
【００１１】
係止部材の具体的構成として、特許請求の範囲の請求項３に記載の如く、前記係止部材は、前後方向に延びる切欠部が側面部から内側に形成される構成を挙げることができる。
【００１２】
また、本発明の好ましい構成として、特許請求の範囲の請求項４に記載の如く、前記係止部材は、側面部に凸部又は凹部を有し、前記挿入部は、前記凸部又は前記凹部と嵌合する凹部又は凸部を有する構成を挙げることができる。
【００１３】
かかる好ましい構成によれば、挿入部に挿入された時に、弾性力によって挿入部を内側から押圧する係止部材の側面部に凸部又は凹部が設けられ、係止部材に設けられた凸部又は凹部と嵌合する凹部又は凸部が挿入部に設けられている。前述のように、係止部材は、挿入部に挿入されると、弾性力によって挿入部を内側から押圧する。そのため、係止部材を挿入部に挿入すると、係止部材に設けられた凸部又は凹部は、挿入部を内側から押圧する弾性力によって挿入部に設けられた凹部又は凸部に押圧されて嵌り込む。このように、係止部材に設けられた凸部又は凹部が、挿入部の凹部又は凸部に弾性力によって嵌り込むため、係止部材と挿入部とは強固に凹凸嵌合する。そのため、係合部が係止部材に係合した状態（係止部材が挿入部に挿入された状態）では、係止部材に対するテンプルの前後方向の移動がより一層阻止され易くなる。従って、かかる好ましい構成によれば、係止部材が弾性力によって挿入部を内側から押圧すること及び、係止部材と挿入部との凹凸嵌合により、テンプルが係止部材から外れることをさらにより一層確実に防止することができる。尚、テンプルの取替え等の際に、テンプルを係止部材から取り外す場合、係止部を閉位置に回動させて、テンプルの係合部を係止部材の前方に移動させる。テンプルを前方に移動させると、係止部材に設けられた凸部又は凹部と、テンプルの挿入部に設けられた凹部又は凸部との凹凸嵌合が解除される。そして、更にテンプルを前方に移動させると、テンプルが係止部材に前方に抜き出る。これにより、係合部と係止部材との係合が解除され、テンプルを係止部材から取り外すことができる。
【発明の効果】
【００１４】
本発明によれば、テンプルが前後方向の何れにも外れることが防止されたテンプルの取替え可能な眼鏡フレームを提供することができる。
【発明を実施するための最良の形態】
【００１５】
図１は本実施形態に係る眼鏡フレームの外観図であり、図１（ａ）は側面図を、図１（ｂ）は平面図を示す。図１に示すように、眼鏡フレーム１は、前枠２と、前枠２に回動自在に連結する係止部材３と、係止部材３に係脱自在に係合するテンプル４とを備えている。
【００１６】
図２は前枠２及び係止部材３の外観図であり、図２（ａ）は側面図を、図２（ｂ）は平面図を示す。図２に示すように、前枠２は、左右一対のレンズ２１と、左右の各レンズ２１を保持する左右一対のリム部２２と、左右の各リム部２２を連結するブリッジ部２４と、左右の各リム部２２の左右方向の内側部分に取り付けられた左右一対の鼻パッド２５とを備えている。本実施形態においては、左右の各リム部２２とブリッジ部２４とは一体的に形成されている。左右の各リム部２２は、レンズ２１の外縁部に沿った略リング状に形成されており、左右方向の外側部分２３が、他の部分に比べて太く、レンズ２１の径外方向に張り出すように形成されている。
【００１７】
図２（ｂ）に示すように、係止部材３は、左右の各リム部２２の外側部分２３にヨロイ５及び回転軸６を介して前枠２に回動自在に連結されている。ヨロイ５は、左右の各リム部２２の外側部分２３に後方（眼鏡フレーム１の装着者の顔面方向）に突出するように設けられている。左右の各ヨロイ５の後方部分には、回転軸６が取り付けられている。左右の各回転軸６には、係止部材３が回動自在に取り付けられている。
【００１８】
図３は図２（ｂ）の部分拡大図であり、図３（ａ）は図２（ｂ）の点線Ｐで囲まれた左の係止部材３近傍の拡大図を、図３（ｂ）は図２（ｂ）の点線Ｑで囲まれた右の係止部材３近傍の拡大図である。図３（ａ）及び（ｂ）に実線で示すように、左右の各係止部材３は、前方に前枠２が存在する開位置と、図３（ａ）及び（ｂ）に二点鎖線で示すように、開位置の状態から前枠２に対して回動して、前方に前枠２が存在しない閉位置とを取ることができる構成とされている。ここで前方とは、係止部材３が回転軸６を中心にして回動することにより得られる円弧状の軌跡Ｌのうち、係止部材３の現在位置における接線方向Ｔ１、Ｔ２の何れか一方の方向である。本実施形態では、図３（ａ）に示すように、左の係止部材３における前方は、前記接線方向Ｔ１、Ｔ２のうち、左の回転軸６から見て右に延びる方向Ｔ１である。一方、右の係止部材３における前方とは、図３（ｂ）に示すように、前記接線方向Ｔ１、Ｔ２のうち、右の回転軸６から見て左に延びる方向Ｔ１である。
【００１９】
尚、左右の各係止部材３が開位置を取るときは、左右の各係止部材３の前方には、前枠２の外側部分２３が存在する。
【００２０】
このような係止部材３は、前後方向（接線方向Ｔ１、Ｔ２と平行な方向）に垂直な方向に弾性変形可能に形成されている。本実施形態では、図３（ａ）及び（ｂ）に示すように、係止部材３は、一辺部３１と他辺部３２とから構成された平面視略Ｌ字状に形成されており、この一辺部３１と他辺部３２のうち、他辺部３２のみが前後方向に垂直な方向に弾性変形可能に形成されている。かかる一辺部３１は、回転軸６に回動自在に取り付けられており、他辺部３２は、前端部が一辺部３１に連結されている。
【００２１】
図４は、係止部材３が開位置を取っているときに、図３（ａ）又は（ｂ）の矢印Ｘ方向から見た他辺部３２の側面図である。本実施形態では、他辺部３２は、前後方向（接線方向Ｔ１、Ｔ２と平行な方向）に垂直な方向のうち、上下方向（図４の矢印Ｈ方向）に弾性変形し易い構成とされている。図４に示すように、他辺部３２には、前後方向に延びる切欠部３３が側面部から内側に形成されている。ここで側面部とは、他辺部３２の表面のうち、前面部及び後面部を除いた部分を言う。本実施形態では、切欠部３３は、他辺部３２の上下方向中央部に形成されている。このように、切欠部３３が上下方向中央部に形成されていると、切欠部３３の上下両側部分が撓み易く、他辺部３２は、上下方向に弾性変形し易い。尚、本実施形態では、切欠部３３は、他辺部３２の後端部から前方に延びるように設けられており、そのため、他辺部３２の形状は、後端部が二股に分かれた側面視略Ｕ字状となっている。
【００２２】
このような他辺部３２の側面部には、凹部３４が形成されている。本実施形態では、凹部３４は、側面部のうち、上面部及び下面部に１ずつ設けられている。
【００２３】
また、他辺部３２の前面部３５は、上下方向中央部が前方に突出するように側面視略円弧状に形成されている。
【００２４】
図５は、係止部材３が閉位置を取っているときに、図３（ａ）又は（ｂ）の矢印Ｘ方向から見た係止部材３の側面図である。図５に示すように、他辺部３２の上下方向長さＨ２は、一辺部３１の上下方向長さＨ１よりも大きく形成されている。
【００２５】
図６はテンプル４の外観図であり、図６（ａ）は図１（ｂ）の矢印Ｙ方向から見たテンプル４の側面図を、図６（ｂ）は図６（ａ）の点線Ｓで囲まれた部分の拡大図を、図６（ｃ）は図６（ｂ）のＡ―Ａ断面図を、図６（ｄ）は図６（ａ）の点線Ｓで囲まれた部分を矢印Ｚ方向から見た平面図を示す。図６に示すように、テンプル４は、開位置にある係止部材３の前方から係脱自在に係止部材３に係合する係合部４１と、係合部４１が係止部材３に係合したときに、係止部材３の前方に位置して、係合部４１が係止部材３の後方に抜けることを防止する抜止部４２とを有している。
【００２６】
テンプル４は、図６（ａ）に示すような細長部材４０にて形成されている。この細長部材４０の一端部には、係合部４１及び抜止部４２が形成され、他端部には、下方に湾曲した先セル部４３が形成されている。図６（ｂ）及び（ｃ）に示すように、係合部４１は、係止部材３の他辺部３２が挿入される空間４５を内側に有した挿入部４４を有している。この空間４５に、他辺部３２が前端部（図４の矢印Ｔ１方向側の部分）から挿入されることで、係合部４１は、係止部材３に係合する。
【００２７】
図６（ｂ）に示すように、空間４５は、細長部材４０の一端部と他端部との方向に長い形状に形成されている。図６（ｄ）に示すように、この空間４５は、細長部材４０の他端部側の部分（以下、他端部４５ａという）が開口され、この他端部４５ａから係止部材３を挿入することが可能とされている。空間４５は、図６（ｃ）に示すように、断面矩形状とされている。この断面は、上下方向長さＨ３が、他辺部３２の上下方向長さＨ２（図５参照）よりも小さく形成され、幅方向長さＷ３が、他辺部３２の幅方向長さＷ２（図５参照）と略同じに形成されている。
【００２８】
空間４５の他端部４５ａと反対側の部分（以下、一端部４５ｂという）には、抜止部４２が位置している。本実施形態では、抜止部４２によって、空間４５の一端部４５ｂは、完全に閉塞されている。抜止部４２が空間４５の一端部４５ｂに位置していることにより、空間４５に挿入された他辺部３２が空間の一端部４５ｂから抜けることが阻止されている。
【００２９】
また、図６（ｂ）に示すように、空間４５を形成する挿入部４４の内周面部には、係止部材３の他辺部３２に形成された凹部３４と嵌合する凸部４７が設けられている。本実施形態では、凸部４７は、内周面部の上下に設けられている。
【００３０】
更に、図６（ａ）〜（ｄ）に示すように、挿入部４４は、挿入部４４の外周面部と内周面部とを貫通するスリット４６が形成されている。スリット４６は、テンプル４を形成する細長部材４０の他端部側（先セル部４３側）の端部から細長部材４０の一端部側に延びるように形成されている。スリット４６の幅Ｕは、係止部材３の一辺部３１の上下方向長さＨ１と同じ又は若干大きく形成されている。
【００３１】
以上の構成を有する眼鏡フレーム１について、テンプル４の係脱及び眼鏡フレーム１の装着について説明する。図７は、テンプル４の係脱及び眼鏡フレーム１の装着手順を示す説明図であり、図７（ａ）はテンプル４を係止部材３に係合する前の状態を示し、図７（ｂ）はテンプル４を係止部材３に係合した後の状態を示し、図７（ｃ）は眼鏡フレーム１を装着する際の眼鏡フレーム１の状態を示す。図７（ａ）に示すように、テンプル４を係止部材３に係合する場合は、係止部材３を閉位置に回動させる。そして、テンプル４の空間４５の他端部４５ａが他辺部３２の前方に、スリット４６がテンプル４の一辺部３１の前方に位置するようにテンプル４を移動させる。次に、他辺部３の後方（図７（ａ）の矢印Ｅ方向）にテンプル４を移動させる。これにより、図７（ｂ）に示すように、空間４５の開口を通じて、他辺部３２が前端部から空間４５に挿入されると共に、係止部材３の一辺部３１がスリット４６に挿入される。
【００３２】
尚、本実施形態では、空間４５の上下方向長さＨ３が、他辺部３２の上下方向長さＨ２よりも小さく形成されている。しかしながら、図４に示すように、他辺部３２の前面部３５は、側面視略円弧状に形成されているため、他辺部３２は、この前面部３５で挿入部４４の開口側を押し広げながら空間４５に入ることができる。そのため、空間４５の上下方向長さＨ３が、他辺部３２の上下方向長さＨ２よりも小さく形成されていても、他辺部３２をスムーズに空間４５に挿入することができる。
【００３３】
また、空間４５の上下方向長さＨ３が、他辺部３２の上下方向長さＨ２よりも小さく形成されているため、他辺部３２が空間４５に挿入されると、他辺部３２は、挿入部４４の内周面部によって、上下方向に収縮するように押圧される。この押圧によって、他辺部３２は、弾性的に上下方向に収縮する。このように他辺部３２が内周面部の押圧によって弾性的に上下方向に収縮することにより、他辺部３２の側面部の上面部及び下面部は、内周面部の押圧力に抗して、内周面部を内側から弾性力により上下方向に押圧する。このように他辺部３２が挿入部４４を内側から押圧することで、係止部材３に対するテンプル４の前後方向の移動が阻止され易くなる。
【００３４】
また、挿入部４４の内周面部を内側から上下方向に押圧する他辺部３２の上面部及び下面部には凹部３４が設けられている。従って、テンプル４の挿入部４４の内周面部に設けられた凸部４７と、他辺部３２に設けられた凹部３４とが嵌合可能な位置まで他辺部３２を空間４５に挿入すると、凹部３４は、挿入部４４の内周面部を内側から上下方向に押圧する弾性力によって凸部４７に押圧されて、凸部４７と嵌合する。この凹凸嵌合によって、係止部材３に対するテンプル４の前後方向の移動が阻止され易くなる。また、凹部３４が弾性力によって凸部４７に押圧されて、凸部４７と嵌合するため、凹部３４と凸部４７との凹凸嵌合は強固に行われ、係止部材３に対するテンプル４の前後方向の移動が確実に阻止され易くなっている。
【００３５】
このように他辺部３２が空間４５に挿入されることにより、係合部４１が係止部材３に係合する。係合部４１が係止部材３に係合すると、図７（ｃ）に示すように、係止部材３を開位置に回動させて、テンプル４の先セル部４３を耳に掛け、鼻パッド２５を鼻に掛けて眼鏡フレーム１を装着することができる。
【００３６】
また、テンプル４と係止部材３との係合の解除は、まず、係止部材３を閉位置に回動させる。次に、テンプル４を係止部材３の前方に移動させて、挿入部４４の内周面部に形成された凸部４７を前方に移動させて、かかる凸部４７と係止部材３に形成された凹部３４との嵌合を解除させる。その後、更にテンプル４を係止部材３の前方に移動させ、係止部材３の他辺部３２を空間４５から後方に抜き出させ、係止部材３の一辺部３１をスリット４６の後方からに抜き出させる。これにより、テンプル４と係止部材３との係合が解除される。このように、本実施形態の眼鏡フレーム１は、テンプル４と係止部材３との係合及びかかる係合の解除が可能であるので、テンプル４を取替えることができる。
【００３７】
図７（ｃ）に示すように、係止部材３が開位置を取るときは、係止部材３の前方に、前枠２のリム部２２の外側部分２３が存在している。そのため、眼鏡フレーム１においては、装着時に、テンプル４の係合部４１が係止部材３の前方に抜けて、テンプル４が係止部材３の前方から外れることが防止されている。また、空間４５の一端部４５ｂには、抜止部４２が位置している。そのため、係合部４１が他辺部３２に係合しているときに、テンプル４が係止部材３の他辺部３２に対して後方に移動しようとしても、抜止部４２によって、テンプル４の後方への移動が阻止され、テンプル４が係止部材３の後方から外れることも防止されている。
【００３８】
更に、前述のように、本実施形態の眼鏡フレーム１は、他辺部３２が挿入部４４を内側から押圧すること、及び、係止部材３に形成された凹部３４と挿入部４の内周面部に形成された凸部４７とが凹凸嵌合することによっても、係止部材３に対するテンプル４の前後方向の移動が阻止され易くなっている。よって、本実施形態の眼鏡フレーム１は、テンプル４の係止部材３に対する移動がより確実に防止され、テンプル４が係止部材３から外れることがより一層確実に防止されている。
【００３９】
以下、眼鏡フレーム１の変形例について説明する。本実施形態では、係止部材３の他辺部３２は、切欠部３３が上下方向中央の一箇所に形成されているが、切欠部３３は、上下方向に異なる位置に２箇所以上に形成されても良い。例えば、図８（ａ）に示すように、他辺部３２は、切欠部３３が上下方向に異なる２箇所に形成され、後端部が三股に分かれた形状であっても良い。また、切欠部３３は、他辺部の後端部まで形成されず、他辺部３２は、図８（ｂ）に示すように、側面視環状に形成されても良い。更に、図８（ｃ）に示すように、切欠部３３を、前端部から後方に延びるように形成し、他辺部３２は、前端部が二股、或いは、それ以上に分かれた形状であってもよい。
【００４０】
本実施形態では、係止部材３に対するテンプル４の前後方向の移動が阻止され易くするために、他辺部３２は、空間４５に挿入されている状態では、上下方向に弾性的に収縮して、挿入部４４の内周面部を内側から上下方向に押圧する構成とされている。しかしながら、他辺部３２が挿入部４４の内周面部を押圧する方向は上下方向に限らず、他辺部３２の前後方向に垂直な方向であれば良く、押圧の方向の例として、幅方向（図６（ｃ）の矢印Ｗ方向）を挙げることができる。他辺部３２が、挿入部４４の内周面部を内側から幅方向に弾性的に押圧する構成として、例えば、他辺部３２が幅方向に弾性変形可能であり、且つ、他辺部３２の幅方向長さＷ２が空間４５の幅方向長さＷ３より大きく形成される構成を挙げることができる。他辺部３２が幅方向に弾性変形可能な構成として、他辺部３２の幅方向中央部に切欠部３３を形成する構成を挙げることができる。図９は、他辺部３２の幅方向中央部に切欠部３３が形成された眼鏡フレーム１の左の係止部３近傍の平面図である。図９に示すように、切欠部３３は、他辺部３２の後端部から前方に延びるように形成され、他辺部３２は、後端部が二股に分かれた平面視略Ｕ字状に形成されている。尚、他辺部３２が幅方向に弾性変形し易い構成は、図９に示す構成に限られず、例えば、平面視において、他辺部３２の後端部が三股、或いは、それ以上、又は、他辺部３２の前端部が二股、三股、或いは、それ以上に分かれるように切欠部３３を形成した構成を挙げることができる。
【００４１】
本実施形態では、他辺部３２に切欠部３３を形成して他辺部３２を弾性的に収縮可能としているが、切欠部３３に代えて、他辺部３２に弾性を有する材料を使用することで、他辺部３２を弾性的に収縮可能にしてもよい。
【００４２】
また、本実施形態では、係止部材３の他辺部３２に凹部３４が形成され、挿入部４４の内周面部に凸部４７が形成されているが、係止部材３の他辺部３２に凸部が形成され、挿入部４４の内周面部に凹部４７が形成されてもよい。
【００４３】
また、本発明の眼鏡フレーム１は、スポーツ等の激しい運動を行う際に、眼鏡フレーム１がずれ落ちることを防止するために、本実施形態のテンプル４（図６参照）に代えて、図１０に示される先セル部４３を有するテンプル４を用いることができる。図１０に示される先セル部４３を有するテンプル４は、細長部材４０と後述する耳当て部材７１及び絡み防止部材７５とによって構成されている。細長部材４０は、本実施形態のテンプル４の細長部材４０と同様の構成をしており、一端部には、係合部及び抜止部が形成され、他端部には、図１０に示される先セル部４３が形成されている。耳当て部材７１は、図１０に示すように、耳に当接可能な耳当接部７２及びテンプル４の先セル部４３と耳当接部７２とを揺動可能に取り付けるためのピン又はネジ等の軸部材７が取り付けられた揺動部７３を有する。絡み防止部材７５は、細長部材４０の耳当て部材７１が取り付けられた部位４ａより基端部側４ｂにある所定部４ｃと耳当接部７２の基端部側４ｂ端部領域７２ａとを連結する部材である。
【００４４】
このテンプル４が用いられた眼鏡フレームは、湾曲した耳当て部材７１の耳当接部７２を耳に掛け、前枠２に取り付けられた鼻パッド２５（図１参照）を鼻に掛けることで装着することができる。
【００４５】
この眼鏡フレームにおいては、眼鏡フレームを掛けた状態で、前枠がずれ落ちようとすると、先セル部４３及び耳当て部材７１の耳当接部７２はずれ上がろうとする。そして、耳当て部材７１の耳当接部７２が上方へ移動しようとすると、耳当て部材７１のテンプル４の先セル部４３に取り付けられる部位である揺動部７３（耳当て部材７１が取り付けられる部位４ａ）に挿通された軸部材７を中心として耳当接部７１は、図１０において右回りへ回転しようとする。このとき、耳当接部７２の基端部側４ｂ端部領域７２ａが耳を押圧する力が大きくなり、その結果、耳当接部７２と耳との相対的な移動が阻止され、先セル部４３のずれ上がりが阻止される。このようにして、眼鏡フレームのずれ落ちを防止することができる。
【００４６】
また、図１０に示すように、可撓性の絡み防止部材７５が細長部材４０の耳当て部材７１が取り付けられた部位４ａより基端部側４ｂにある所定部４ｃと耳当て部材７１の耳当接部７２の基端部側４ｂ端部領域７２ａとを連結するように取り付けられている。こうすることで、眼鏡フレームを外す際に、テンプル４を上方へ持ち上げた場合であっても、細長部材４０と耳当接部７２の基端部側４ｂ端部領域７２ａとの間が絡み防止部材７５で塞がれているため、髪の毛がＱ方向から先セル部４３と耳当接部７２との取り付け部分（揺動部７３）に入り込みにくく、これに絡まることが抑制される。また、絡み防止部材７５は、可撓性を有しているため、眼鏡フレームのずれ落ち抑制の機能を阻害することもない。このように、可撓性の絡み防止部材７５によって細長部材４０の耳当て部材７１が取り付けられた部位４ａより基端部側４ｂにある所定部４ｃと耳当接部７２の基端部側４ｂ端部領域７２ａとを連結することにより、鼻に掛かる負担を大きくすることなく眼鏡のずれ落ちを防止できるとともに、眼鏡フレームを外す際に髪の毛の眼鏡への絡みを抑制することができる。
【図面の簡単な説明】
【００４７】
【図１】図１は本実施形態に係る眼鏡フレームの外観図であり、図１（ａ）は側面図を、図１（ｂ）は平面図を示す。
【図２】図２は前枠及び係止部材の外観図であり、図２（ａ）は側面図を、図２（ｂ）は平面図を示す。
【図３】図３は図２（ｂ）の部分拡大図であり、図３（ａ）は図２（ｂ）の点線Ｐで囲まれた左の係止部材近傍の拡大図を、図３（ｂ）は図２（ｂ）の点線Ｑで囲まれた右の係止部材近傍の拡大図である。
【図４】図４は、係止部材が開位置を取っているときに、図３（ａ）又は（ｂ）の矢印Ｘ方向から見た他辺部３２の側面図である。
【図５】図５は、係止部材が閉位置を取っているときに、図３（ａ）又は（ｂ）の矢印Ｘ方向から見た係止部材の側面図である。
【図６】図６はテンプルの外観図であり、図６（ａ）は図１（ｂ）の矢印Ｙ方向から見たテンプルの側面図を、図６（ｂ）は図６（ａ）の点線Ｓで囲まれた部分の拡大図を、図６（ｃ）は図６（ｂ）のＡ―Ａ断面図を、図６（ｄ）は図６（ａ）の点線Ｓで囲まれた部分の平面図を示す。
【図７】図７はテンプルの係脱及び装着手順を示す説明図であり、図７（ａ）はテンプルを係止部材に係合する前の状態を示し、図７（ｂ）はテンプルを係止部材に係合した後の状態を示し、図７（ｃ）は眼鏡フレームを装着者が装着する際の眼鏡フレームの状態を示す。
【図８】図８（ａ）〜（ｃ）は、変形例に係る係止部材の他辺部の側面図である。
【図９】図９は、他辺部の幅方向中央部に切欠部が形成された眼鏡フレームの左の係止部近傍の平面図である。
【図１０】図１０は、変形例に係るテンプルの先セル部近傍の拡大側面図である。
【符号の説明】
【００４８】
１…眼鏡フレーム、２…前枠、３・・・係止部材、３３…切欠部、３４…凹部、４…テンプル、４１・・・係合部、４２…抜止部、４４…挿入部、４７…凹部
【図１】
2008122602.tif 000003
【図２】
2008122602.tif 000004
【図３】
2008122602.tif 000005
【図４】
2008122602.tif 000006
【図５】
2008122602.tif 000007
【図６】
2008122602.tif 000008
【図７】
2008122602.tif 000009
【図８】
2008122602.tif 000010
【図９】
2008122602.tif 000011
【図１０】
2008122602.tif 000012
【手続補正書】
【提出日】平成19年2月15日(2007.2.15)
【手続補正１】
【補正対象書類名】特許請求の範囲
【補正対象項目名】全文
【補正方法】変更
【補正の内容】
【特許請求の範囲】
【請求項１】
前枠と、前記前枠に回動自在に連結する係止部材と、前記係止部材に係脱自在に係合するテンプルとを備え、
前記係止部材は、前方に前記前枠が存在する開位置と、前記開位置の状態から前記前枠に対して回動して、前方に前記前枠が存在しない閉位置とを取ることができ、
前記テンプルは、前記閉位置にある前記係止部材の前方から係脱自在に前記係止部材に係合する係合部と、前記係合部が前記係止部材に係合したときに、前記係止部材の前方に位置して、前記係合部が前記係止部材の後方に抜けることを防止する抜止部とを有することを特徴とする眼鏡フレーム。
【請求項２】
前記係合部は、前記係止部材が挿入する挿入部を有し、且つ、前記係止部材の前端部から前記係止部材を前記挿入部に挿入させることで前記係止部材に係合し、
前記係止部材は、前記挿入部に挿入されているときは、前後方向に垂直な方向に弾性的に収縮した状態であることを特徴とする請求項１に記載の眼鏡フレーム。
【請求項３】
前記係止部材は、前後方向に延びる切欠部が側面部から内側に形成されたことを特徴とする請求項２に記載の眼鏡フレーム。
【請求項４】
前記係止部材は、側面部に凸部又は凹部を有し、
前記挿入部は、前記凸部又は凹部と嵌合する凹部又は凸部を有することを特徴とする請求項２又は３に記載の眼鏡フレーム。